(57)【特許請求の範囲】
【請求項１】
画面を構成するための映像信号を出力する映像信号生成器と、
ユーザの画面調整モード実行命令を認識して画面調整のためのＯＳＤ生成命令と、前記映像信号のアクティブ領域の始めおよび終わりの位置を把握し、ディスプレイ画面上の縁部に表示されるガイドラインを生成するためのガイドラインパターン信号と、を出力する制御部と、
該制御部から前記ＯＳＤ生成命令を受信してＯＳＤ映像信号を出力するＯＳＤ生成部と、
前記映像信号生成器から出力された前記映像信号、前記制御部から出力された前記ガイドラインパターン信号および前記ＯＳＤ生成部から出力された前記ＯＳＤ映像信号を混合して増幅する映像増幅部と、
該記映像増幅部からの出力を画面上に表示するためのディスプレイ部とを備えることを特徴とするモニタの画面調整ガイドライン表示装置。
【請求項２】
前記制御部は、前記映像信号生成器から出力された前記映像信号におけるアクティブ領域の始めおよび終わりの位置を検出するためのアクティブ領域検出器と、該アクティブ領域検出器から検出された前記アクティブ領域の始めおよび終わりの位置にガイドラインを生成させるガイドラインパターン生成器とを備える請求項１に記載のモニタの画面調整ガイドライン表示装置。
【請求項３】
前記アクティブ領域検出器は、オートサイジングのために用いられるＩＣである請求項２に記載のモニタの画面調整ガイドライン表示装置。
【請求項４】
画面を構成するための映像信号を生成する映像信号生成器と、
ユーザの画面調整モード実行命令を認識し、入力される水平／垂直同期信号によりアクティブ領域のはじめおよび終りの位置に基づいてガイドラインの生成位置を把握して該当位置に画面を調整するためのＯＳＤおよびガイドライン信号を生成するための、ＯＳＤおよびガイドライン生成命令を出力する制御部と、
該制御部から前記ＯＳＤおよびガイドライン生成命令を受信し、ＯＳＤおよび、ディスプレイ画面上の縁部にガイドラインを表示するためのガイドライン映像信号、を出力するＯＳＤ生成部と、
該ＯＳＤ生成部から出力された前記ＯＳＤおよびガイドライン映像信号と、前記映像信号生成器から出力された前記映像信号とを混合して増幅する映像増幅部と、
該映像増幅部の出力を画面上に表示するためのディスプレイ部とを備えることを特徴とするモニタの画面調整ガイドライン表示装置。
【発明の詳細な説明】
【０００１】
【発明の属する技術分野】
本発明は、モニタの画面を調整するための表示装置に関し、より詳細には、モニタの画面調整の際に、モニタ画面の縁部にガイドラインを表示して画面調整の結果を明確に確認できるようにしたモニタの画面調整ガイドライン表示装置に関する。
【０００２】
【従来の技術】
一般に、ユーザが画面調整モードを選択すると、モニタ内に備えられたＯＳＤ（On Screen Display）表示装置により画面のサイズ、位置、ピンクッション（Pin Cushion）等のような画面調整の細部項目を表示するに用いられるＯＳＤパターンが画面の所定位置に生成される。
【０００３】
そして、ＯＳＤ表示窓内の数値または棒バー等のような現在画面の調整状態の表示によりユーザは自分が設定した調整値の変更状態を確認できる。
従来の技術によるモニタのＯＳＤ表示装置は、図１のように、制御部１１、ＯＳＤ生成部１２、映像信号生成器１３、映像増幅部１４およびディスプレイ部１５で構成される。
【０００４】
制御部１１は、モニタ内に取り付けられ、ユーザが画面調整メニューキーを入力したとき、画面の所定位置に画面調整モード用ＯＳＤがディスプレイされるように制御信号を出力する一方、ＰＣ本体のシステムとデータの交換を遂行する。ＯＳＤ生成部１２は、制御部１１の制御信号により当該ＯＳＤを構成するためのＯＳＤ映像信号を生成し、映像信号生成器１３は、ＰＣ本体に取り付けられ、ＰＣ本体のシステムからの制御信号に相応する画面を構成するための映像信号（Ｒ,Ｇ,Ｂ）を出力する。映像増幅部１４は、ＯＳＤ生成部１２から出力されたＯＳＤ映像信号と映像信号生成器１３から出力された映像信号とを混合して増幅する。ディスプレイ部１５は、映像増幅部１４の出力を画面上に具現する。
【０００５】
このように構成された従来の技術によるモニタのＯＳＤ表示装置の動作を説明すると、次のとおりである。
先ず、ユーザがモニタのキー入力部を通じて画面調整メニューキーを押すと、モニタ内の制御部１１がそれを認識する。
そして、制御部１１は、ＰＣ本体のシステムから入力された水平および垂直同期信号によりＯＳＤを表示する位置を把握して該当位置に画面調整モードＯＳＤが具現されるようにＯＳＤ生成部１２にＯＳＤ生成命令を出力する。
【０００６】
次いで、ＯＳＤ生成部１２は、制御部１１から出力された制御信号により当該ＯＳＤを構成するためのＯＳＤ映像信号を映像増幅部１４に出力する。
一方、ＰＣ本体内の映像信号生成器１３は、図２に示すように、Ｒ,Ｇ,Ｂの映像信号を映像増幅部１４に出力する。
次いで、映像増幅部１４は、上記ＯＳＤ生成部１２の出力と映像信号生成器１３からの出力とを混合して所定のレベルに増幅したあと、ディスプレイ部１５に出力する。
【０００７】
そして、ディスプレイ部１５は、映像増幅部１４から出力された信号に対して一連の信号処理をほどこし、図３のように、画面の中間部位または下端部位など既に設定された位置にＯＳＤ表示窓をディスプレイする。
従って、ユーザは、画面調整の際に、ＯＳＤで表示された数値または棒バーなどによって自分の調整値による画面調整の実行結果を確認できる。
【０００８】
【発明が解決しようとする課題】
従来の技術によるモニタの画面調整モードでは、ユーザはＯＳＤを用いて実際画面の調整結果を確認するが、スクリーンの全領域に対し実際画面が明確に区分されないため、実際画面を通じた画面調整の結果を容易には把握することができず、結局、画面調整を自分の所望するほど円滑には遂行し難いという問題点があった。
【０００９】
従って、本願発明はかかる問題点を解決するために案出されたものであって、ユーザの画面調整およびその実行結果の把握を容易にできるようにしたモニタの画面調整ガイドラインの表示装置を提供することにその目的がある。
【００１０】
【課題を解決するための手段】
上記目的を達成するために、本発明の特徴によれば、ユーザの画面調整モードの実行命令を認識してＯＳＤ生成命令とガイドライン生成命令とを出力する制御部と、制御部からガイドライン生成命令を受信してガイドライン形成関連情報を出力するガイドライン情報提供部と、ガイドライン情報提供部からガイドライン形成関連情報を受信してガイドライン形成関連情報に相応するガイドラインが含まれた画面を構成するための映像信号を出力する映像信号生成器と、制御部からＯＳＤ生成命令を受信して画面調整のためのＯＳＤ映像信号を出力するＯＳＤ生成部と、映像信号生成器から出力されたガイドラインが含まれた映像信号とＯＳＤ生成部から出力されたＯＳＤ映像信号とを混合して増幅する映像増幅部と、映像増幅部からの出力を画面上に表示するためのディスプレイ部とを備えるモニタの画面調整ガイドライン表示装置を提供する。
【００１１】
ここで、上記ガイドライン形成関連情報はガイドラインの幅情報および色相情報のうち、少なくとも一つの情報を含むのが好ましい。
本発明の他の特徴によれば、画面を構成するための映像信号を出力する映像信号生成器と、ユーザの画面調整モード実行命令を認識し画面を調整するためのＯＳＤ生成命令と、映像信号のアクティブ領域の始めおよび終わりの位置を把握し、該当位置にガイドラインを生成するためのガイドラインパターン信号とを出力する制御部と、制御部からＯＳＤ生成命令を受信してＯＳＤ映像信号を出力するＯＳＤ生成部と、映像信号生成器から出力された映像信号、制御部から出力されたガイドラインパターン信号およびＯＳＤ映像信号を混合して増幅する映像増幅部と、映像増幅部からの出力を画面上に表示するためのディスプレイ部とを備えるモニタの画面調整ガイドライン表示装置を提供する。
【００１２】
ここで、上記制御部は、映像信号生成器から出力された映像信号におけるアクティブ領域の始めおよび終わりの位置を検出するためのアクティブ領域検出器と、アクティブ領域検出器から検出されたアクティブ領域の始めおよび終わり位置にガイドラインを生成させるガイドラインパターン生成器とを備えるのが好ましい。
【００１３】
また、上記アクティブ領域検出器は、オートサイジングのために用いられるＩＣであるのが好ましい。
本発明のさらに他の特徴によれば、画面を構成するための映像信号を生成する映像信号生成器と、ユーザの画面調整モード実行命令を認識し、入力された水平／垂直同期信号によりガイドラインの生成位置を把握して該当位置に画面調整のためのＯＳＤおよびガイドライン信号を生成するためのガイドライン生成命令を出力する制御部と、制御部からＯＳＤおよびガイドライン生成命令を受信しＯＳＤおよびガイドライン映像信号を出力するＯＳＤ生成部と、ＯＳＤ生成部から出力されたＯＳＤおよびガイドライン映像信号と、映像信号生成器から出力された映像信号とを混合して増幅する映像増幅部と、映像増幅部の出力を画面上に表示するためのディスプレイ部とを備えるモニタの画面調整ガイドライン表示装置を提供する。
【００１４】
【発明の実施の形態】
以下、図面を参照して本発明によるモニタの画面調整ガイドライン表示装置の第１〜第３の実施例を説明する。
図４は本発明によるモニタの画面調整ガイドライン表示装置の第１の実施例の構成を示したブロック図、図５は図４の画面調整ガイドライン具現用映像信号波形を示した図、図６は本発明の第１の実施例による画面調整ガイドラインを示した図、図７は本発明によるモニタの画面調整ガイドライン表示装置の第２の実施例の構成を示したブロック図、図８は本発明によるモニタの画面調整ガイドライン表示装置の第３の実施例の構成を示したブロック図である。
−第１の実施例−
本発明によるモニタの画面調整ガイドライン表示装置の第１の実施例は、図４に示されるように、モニタ内の制御部４１から出力される制御信号により所定のＯＳＤ映像信号を生成するＯＳＤ生成部４２と、画面調整ガイドラインが含まれた画面を構成するための映像信号（Ｒ,Ｇ,Ｂ）を生成する映像信号生成器４４と、制御部４１から出力されるガイドライン生成命令により上記映像信号生成器４４に当該ガイドライン形成関連情報を伝送するガイドライン情報提供部４３と、ＯＳＤ生成部４２から出力されたＯＳＤ映像信号と映像信号生成器４４から出力されたガイドラインが含まれた映像信号とを混合して増幅する映像増幅部４５と、映像増幅部４５の出力を画面上に表示するためのディスプレイ部４６と、ユーザの画面調整モード実行命令を認識して上記ＯＳＤ生成部４２にＯＳＤ生成命令を出力し、ガイドライン情報提供部４３にガイドライン生成命令を伝達する制御部４１とを備えて構成される。
【００１５】
このように構成された本発明の画面調整ガイドライン表示動作を説明すると、下記のとおりである。
先ず、ユーザがモニタのキー入力部を通じて画面調整メニューキーを押すと、モニタ内の制御部４１がそれを認識する。
そして、制御部４１はＰＣ本体のシステムから予め入力された水平および垂直同期信号によりＯＳＤを表示する位置を把握して、該当位置に画面調整モードＯＳＤが表示されるようにＯＳＤ生成部４２にＯＳＤ生成命令を伝送し、同時にガイドライン情報提供部４３にガイドライン生成命令をそれぞれ伝送する。
【００１６】
次いで、ＯＳＤ生成部４２は制御部４１から伝送された制御信号により当該ＯＳＤを構成するためのＯＳＤ映像信号を映像増幅部４５に出力し、ガイドライン情報提供部４３は制御部４１のガイドライン生成命令を認識しガイドラインの幅情報およびガイドライン色相情報などのガイドライン形成関連情報を映像信号生成器４４へ伝送する。
【００１７】
従って、映像信号生成器４４は、ガイドライン情報提供部４３の制御により画面調整ガイドラインがディスプレイされるようにするため、図５に示すように、アクティブ領域のうち、ガイドライン信号、映像信号およびＯＳＤ表示窓具現信号が含まれた映像信号を生成して映像増幅部４５に出力する。
そして、映像増幅部４５は、上記ＯＳＤ生成部４２の出力と映像信号生成器４４の出力とを混合して所定のレベルに増幅したあと、ディスプレイ部４６に出力する。
【００１８】
次いで、ディスプレイ部４６は、映像増幅部４５の出力に対して一連の信号処理をほどこし、図６のように、画面の縁部にガイドラインが表示され、視聴者が画面調整結果を容易に認識できるようにＯＳＤが表示された画面をディスプレイする。
−第２の実施例−
本発明によるモニタの画面調整ガイドライン表示装置の第２の実施例は、図７に示されるように、モニタ内の制御部７１から出力される制御信号により所定のＯＳＤ映像信号を生成するＯＳＤ生成部７２と、画面を構成するための映像信号（Ｒ,Ｇ,Ｂ）を生成する映像信号生成器７３と、ユーザの画面調整モード実行命令を認識して上記ＯＳＤ生成部７２にＯＳＤ生成命令を出力し、内部のアクティブ領域検出器を用いて上記映像信号生成器７３から出力される映像信号（Ｒ,Ｇ,Ｂ）のアクティブ領域を検出し、内部のパターン生成器（Pattern Generator）を用いて該当位置にガイドライン映像を生成する制御部７１と、ＯＳＤ生成部７２から出力されたＯＳＤ映像信号、映像信号生成器７３から出力された映像信号および制御部７１から出力されたガイドラインパターン信号を混合して増幅する映像増幅部７４と、映像増幅部７４の出力を画面上に表示するためのディスプレイ部７５とを備えて構成される。
【００１９】
このとき、アクティブ領域検出器には、主にオートサイジング（Auto-Sizing）機能のために用いられるＩＣが適用される。
このように構成された本発明の画面調整ガイドライン表示動作を説明すると、次のとおりである。
先ず、ユーザがモニタのキー入力部を通じて画面調整メニューキーを押すと、制御部７１がそれを認識する。
【００２０】
そして、制御部７１は該当位置に画面調整モードＯＳＤが表示されるようにＯＳＤ生成部７２にＯＳＤ生成命令を出力し、同時に制御部７１内部のアクティブ領域検出器、すなわちＩＣを用いて映像信号生成器７３から供給される映像信号（Ｒ,Ｇ,Ｂ）のアクティブ領域の始めおよび終わりの各位置を検出し、制御部７１内部のパターン生成器を用いて該当位置にガイドラインパターンを生成するための信号を映像増幅部７４に出力する。
【００２１】
このとき、ＩＣは映像信号生成器７３から映像信号（Ｒ,Ｇ,Ｂ）および水平および垂直同期信号を感知しているときにユーザからのＯＳＤ要請があった場合、正確なアクティブ領域の始めおよび終わりの各位置の情報を制御部７１に伝達する。
次いで、ＯＳＤ生成部７２は制御部７１の制御信号により当該ＯＳＤを構成するためのＯＳＤ映像信号を映像増幅部７４に出力し、映像信号生成器７３は映像信号を出力する。
【００２２】
次に、映像増幅部７４は、上記ＯＳＤ生成部７２の出力、映像信号生成器７３の出力および制御部７１から出力されたガイドラインパターン信号を混合して所定のレベルに増幅したあと、ディスプレイ部７５に出力する。
次いで、ディスプレイ部７５は映像増幅部７４の出力に対して一連の信号処理をほどこし、上述した図６のように、画面の縁部にガイドラインが表示され、視聴者が画面調整の結果を容易に認識できるようにＯＳＤが表示された画面をディスプレイする。
−第３の実施例−
本発明によるモニタの画面調整ガイドライン表示装置の第３の実施例は、図８に示されるように、モニタ本体内の制御部８１から出力される制御信号によりＯＳＤおよび画面調整ガイドライン映像信号を生成するＯＳＤ生成部８２と、画面を構成するための映像信号（Ｒ,Ｇ,Ｂ）を生成する映像信号生成器８３と、ユーザの画面調整モード実行命令を認識して上記ＯＳＤ生成部８２にＯＳＤおよびガイドライン生成命令を出力する制御部８１と、ＯＳＤ生成部８２から出力されたＯＳＤおよび画像調整ガイドライン映像信号と映像信号生成器８３から出力された映像信号とを混合して増幅する映像増幅部８４と、映像増幅部８４の出力を画面上に表示するためのディスプレイ部８５とを含めて構成される。
【００２３】
このように構成された本発明の画面調整ガイドライン表示動作を説明すると、次のとおりである。
先ず、ユーザがモニタのキー入力部を通じて画面調整メニューキーを押すと、制御部８１がそれを認識する。
そして、制御部８１は該当位置に画面調整モードＯＳＤおよびガイドラインが表示されるようにＯＳＤ生成部８２にＯＳＤおよびガイドライン生成命令を出力する。
【００２４】
この時、制御部８１はＰＣシステムから伝送された水平および垂直同期信号によりアクティブ領域の始めおよび終わりの位置の情報を検出できるので、当該位置情報を用いてＯＳＤ生成部８２にＯＳＤおよびガイドライン生成命令を出力する。
次いで、ＯＳＤ生成部８２は制御部８１の制御信号により当該ＯＳＤおよびガイドラインを表示するためのＯＳＤおよび画像調整ガイドライン映像信号を映像増幅部８４に出力し、映像信号生成器８３は映像信号を出力する。
【００２５】
従って、映像増幅部８４は上記ＯＳＤ生成部８２から出力されたＯＳＤおよび画像調整ガイドライン映像信号と映像信号生成器８３の映像信号とを混合して所定のレベルに増幅したあと、ディスプレイ部８５に出力する。
次いで、ディスプレイ部８５は、映像増幅部８４の出力に対して一連の信号処理をほどこし、上述した図６のように、画面の縁部にガイドラインが表示され、視聴者が画面調整の結果を容易に認識できるようにＯＳＤが表示された画面をディスプレイする。
【００２６】
【発明の効果】
上述したとおり、本発明の第１〜第３の実施例によれば、ユーザが画面調整モード中に例えば画面サイズ調整を遂行する場合、実際画面を明確に区分するガイドラインがあるため、自分が調整した結果が画面上に明確に現れることになる。また、ガイドラインを画面の背景と対比される色、例えば、赤色などで具現すれば、ユーザが画面調整の結果を一層容易に認識することができる。
【００２７】
本発明によるモニタの画面調整ガイドライン表示装置によれば、画面調整モードで画面の外郭部分にガイドラインを具現して画面調整の結果を明確に確認できるようにするので、容易かつ正確な画面調整が可能で、ユーザの便宜を増大させ、さらに、製品の信頼度を向上させる効果を奏する。
【図面の簡単な説明】
【図１】従来技術によるモニタのＯＳＤ表示装置の構成を示したブロック図である。
【図２】図１のＯＳＤ表示窓を具現するための映像信号波形を示した図である。
【図３】従来技術のＯＳＤ表示画面を示した図である。
【図４】本発明によるモニタの画面調整ガイドライン表示装置の第１の実施例の構成を示したブロック図である。
【図５】図４の画面調整ガイドラインを具現するための映像信号波形を示した図である。
【図６】本発明による画面調整ガイドラインを示した図である。
【図７】本発明によるモニタの画面調整ガイドライン表示装置の第２の実施例の構成を示したブロック図である。
【図８】本発明によるモニタの画面調整ガイドライン表示装置の第３の実施例の構成を示したブロック図である。
【符号の説明】
４１，７１，８１…制御部
４２，７２，８２…ＯＳＤ生成部
４３…ガイドライン情報提供部
４４，７３，８３…映像信号生成器
４５，７４，８４…映像増幅部
４６，７５，８５…ディスプレー部
【図１】
0003730501.tif 000002
【図２】
0003730501.tif 000003
【図３】
0003730501.tif 000004
【図４】
0003730501.tif 000005
【図５】
0003730501.tif 000006
【図６】
0003730501.tif 000007
【図７】
0003730501.tif 000008
【図８】
0003730501.tif 000009